(57)【要約】      （修正有）【課題】新設・既設を問わず全ての窓に簡易かつ確実に取り付け可能で、リモコン及び・又はセンサにより自動で閉塞・開放及び／又は施錠・解錠する自動開閉装置の提供。【解決手段】窓外枠１００間に立設し、かつ一方の窓内枠１０１に添接された枠体２と、枠体２内及び／又は一方の窓内枠１０１に設けた昇降式の窓の施錠・開錠を司る施錠、開錠機構と、施錠、開錠機構の爪が係止される他方の窓内枠１０２に設けたロック部材と、枠体２に設けたモータ及び駆動体、並びに他方の窓内枠１０２に設けた防滑部材でなる窓の開閉を司る自動開閉機構と、風速センサー４０や水分センサー４１と、振動センサーＣが起動した際に警報を発する警報機Ｄと、施錠、開錠機構や自動開閉機構等を制御する制御部Ｂで構成した。【選択図】図１
2008088766.tif 000002
【特許請求の範囲】
【請求項１】
窓外枠間に立設し、かつ一方の窓内枠に添接された枠体と、この枠体内及び／又は一方の窓内枠に設けた昇降式の窓の施錠・開錠を司る施錠、開錠機構と、この施錠、開錠機構の爪が係止される他方の窓内枠に設けたロック部材と、該枠体に設けたモータ及び駆動体、並びに前記他方の窓内枠に設けた係止部でなる窓の開閉を司る自動開閉機構と、で構成した窓の施錠・開錠と、その開閉を行う窓の自動開閉装置であって、
前記爪の昇降を司る昇降機構と、前記モータの回転を司る駆動機構とを設け、
前記昇降機構と前記駆動機構とを制御するリモコン及び／又はセンサー等の駆動部で構成した窓の施錠・開錠と、その開閉を行う窓の自動開閉装置。
【請求項２】
請求項１に記載の窓の施錠・開錠と、その開閉を行う窓の自動開閉装置であって、
前記昇降式の窓の施錠・開錠を司る施錠、開錠機構は、枠体内及び／又は一方の窓内枠に設けたケースに前進後退可能に設けたシリンダーと、このシリンダーを抱持するこのケースに設けたシリンダーケースと、前記シリンダーの昇降を司る昇降制御部と、前記シリンダーに設けた爪とで構成した窓の施錠・開錠と、その開閉を行う窓の自動開閉装置。
【請求項３】
請求項１に記載の窓の施錠・開錠と、その開閉を行う窓の自動開閉装置であって、
この窓の施錠・開錠を司る施錠、開錠機構は、ケース本体に設けたシリンダーケースと、このシリンダーケースの正面に開設した鍵挿入口と、この鍵挿入口に出没するシリンダー係止端部を備えた係止杆と、この係止杆の復帰を司る前記シリンダーケースに内設したスプリングと、また前記シリンダー係止端部が摺動する前記シリンダーケースの側面に開設した長孔と、前記シリンダーケースに収容され、かつこのシリンダーケースの上下面の方向に昇降するシリンダーと、このシリンダーに設けた爪と、前記シリンダーケースの側面に設けた前記シリンダー係止端部が係止される係止端部と、前記鍵挿入口に設けた鍵をロックするロック孔と、前記シリンダーの昇降を司る昇降制御部とで構成し、
この鍵挿入口に挿入された鍵の差込みを介して、前記係止杆の突起と係止端部との係合を解除し、シリンダーの昇降を図るとともに、この鍵の差込みと、かつ該鍵の回転を介して、前記解除の状態を確保する構成とした窓の施錠・開錠と、その開閉を行う窓の自動開閉装置。
【請求項４】
請求項１、請求項２又は請求項３に記載の窓の施錠・開錠と、その開閉を行う窓の自動開閉装置であって、
その昇降制御部を、ソレノイドとした窓の施錠・開錠と、その開閉を行う窓の自動開閉装置。
【請求項５】
請求項１に記載の窓の施錠・開錠と、その開閉を行う窓の自動開閉装置であって、
この自動開閉装置に振動センサーを付設し、この振動センサーが起動した際に警報を発する警報機を窓又は建屋に設ける構成とした窓の施錠・開錠と、その開閉を行う窓の自動開閉装置。
【請求項６】
請求項１に記載の窓の施錠・開錠と、その開閉を行う窓の自動開閉装置であって、
この窓の開閉機構は、窓外枠に係止した上面に歯部を備えた第１のベースと、この第１のベースの歯部に噛合する歯部を備えた第２のベースと、この第２のべースに移動可能に設けたスライドベースと、このスライドベースの前進後退を司る前記第２のベースの正面に設けた調節螺子と、このスライドベースに設けたモータ等の駆動機構と、この駆動機構の出力軸を前記スライドベースに貫設し、この貫設した出力軸に駆動体を設け、この駆動体の一面を前記スライドベースより突設するとともに、この突設した一面を一方の窓内枠の防滑部材に添接する構成とした窓の施錠・開錠と、その開閉を行う窓の自動開閉装置。
【請求項７】
請求項６に記載の窓の施錠・開錠と、その開閉を行う窓の自動開閉装置であって、
前記駆動機構は、請求項１に記載の枠体内にスペースを介して設ける構成とした窓の施錠・開錠と、その開閉を行う窓の自動開閉装置。
【発明の詳細な説明】
【技術分野】
【０００１】
本発明は、窓の施錠・開錠と、その開閉を行う窓の自動開閉装置に関する。
【背景技術】
【０００２】
従来、家屋（建屋）に設けられた窓において、一般の家屋における和風の窓は、窓外枠（躯体）と略面一に設けられている。そして、このような略面一の構造は、洋風の出窓・天窓等のように特殊な構造においても、略同様である。
【０００３】
そして、この窓の開閉は、室内の換気、温度・湿度等の調節、又は風雨・煙・臭気等の遮断と、排出等のために日常的に行われている。また一面で、この窓の開閉に基づくトラブルは多く、例えば、防犯の面より施錠及び／又は閉塞が必須である。
【０００４】
また日常的なこととして、例えば、窓を開放したままの状態及び／又は閉塞を失念して外出・就寝等することがある。この場合、例えば、天候の急変、また就寝等で閉塞が必要な場合における処置が図れず、また健康・体の調子等の面から開放及び／又は閉塞の必要時に処置が図れず問題があった。
【０００５】
殊に、窓の開閉を自動的に行うことが、必要である状況がある。その一例を説明すると、障害者等の健常者以外の人では、この種の窓の施錠及び／又は開閉と、ロック等の所作は、本人では行えず、誰かの介護と手助けが必要であり、この場合には、自動の開閉装置が要望される。
【０００６】
以上のような数々の要望から、一定の条件のもとで、窓を自動的に開閉し、また窓を自動的に施錠及び／又は開錠する装置が必要であり、同様なことを意図して、これまでにも、多数の発明と考案が出願されている。
【０００７】
文献（１）は、特開平８−１５８７３７「電動サッシ」であり、サッシ縦框に駆動ホイルを設けるとともに、この駆動ホイルを駆動するモータを配備し、このモータの可動で駆動ホイルを駆動する。この駆動ホイルの駆動を介してサッシ（窓）を開閉する窓の開閉機構と、窓の施錠・開錠を、サッシ縦框にロック系駆動手段と、鍵及び鍵受けとを設け、このロック系駆動手段の駆動による鍵の可動を介して、窓をロック又はロック解除するロック機構とで構成し、このモータ及び／又はロック系駆動手段の駆動を遠隔操作（リモコン操作）で自動制御し、窓の開閉と、窓のロック・ロック解除とを図る構成である。
【０００８】
文献（２）は、特開２０００−３１００６８「窓ロック自動開放装置」であり、窓ロック部を自動で解錠する自動解錠機構と、窓を自動で開放する自動開放機構と、窓ロック部の自動解錠後に窓を自動開放させる制御回路とを備えたことを特徴とする構成である。
【０００９】
また文献（３）は、特開２００４−１３７８５１「引き違い戸用ロック装置」であり、引き違い戸の閉塞部近傍に設けたロック装置本体及びロック部材と、ロック装置本体に設けたロック部材側へ出没し、ロック部材との間で施錠及び解錠するロック杆と、このロック杆を動作するモータ等の制御手段と、引き違い戸の異常振動を検知し、異常信号を発生する振動検知手段で構成し、この異常信号により警報を発し、ガラスを破って侵入する窃盗犯の発生を抑制可能としたことを特徴とする構成である。
【００１０】
【特許文献１】特開平８−１５８７３７
【特許文献２】特開２０００−３１００６８
【特許文献３】特開２００４−１３７８５１
【発明の開示】
【発明が解決しようとする課題】
【００１１】
文献（１）は、遠隔操作により窓を自動的に開閉できる。しかし、サッシ縦框に、窓の開閉機構及び／又はロック・ロック解除機構を設ける構成であるので、既設のサッシには、装着が困難であること、また駆動ホイルと、サッシ横框との接触不足と、接触面積の不足が考えられ、その駆動機構に不安な要素がある。殊に、駆動ホイルとサッシ横框との接触調節が期待できず、公差による取付けの不具合の解消と、サッシの動きに対応した充分な接触を図るには、充分ではないと思われる。
【００１２】
文献（２）は、遠隔操作により窓を自動的に開閉できる。しかし、窓枠の上辺に、窓の開閉機構と、その窓枠の縦辺にロック・ロック解除機構を設ける構成であるので、既設の窓枠には、装着が困難であること、またギヤ機構と窓枠との接触不足と、接触面積の不足が考えられ、その駆動機構に不安な要素がある。殊に、駆動ホイルとサッシ横框との接触調節が期待できず、公差による取付けの不具合の解消と、サッシの動きに対応した充分な接触を図るには、充分ではないと思われる。
【００１３】
文献（３）は、ロック杆をモータの制御手段で操作する構成である。従って、構造が複雑となること、コストの上昇を招来すること等の問題がある。またこの発明は、引き違い戸の開閉機構に留まっている。従って、雨センサー、風センサー、臭気センサー、花粉センサー等のセンサーがなく天候の変化に対応できないこと、鍵の開閉機構を備えず防犯に対する配慮に欠けること等の課題がある。また縦横框と、ロック装置本体、ロック部材等による公差による取付けの不具合の解消と、引違い戸の動きに対応した充分な接触を図るには、充分ではないと思われる。
【００１４】
上記に鑑み、本発明は、次のような「１」〜「３」の目的を達成するために、窓の施錠・開錠と、その開閉を行う窓の自動開閉装置を提案する。
【００１５】
「１」  窓の自動施錠（ロック）・開錠（ロック開放）を司る施錠、開錠機構と、雨センサー等のセンサーが検知したときに、窓の開閉を司る窓の自動開閉機構とでなる自動開閉装置を提供し、総合的な自動施錠及び／又は開錠と、同時に窓の自動開放及び／又は閉塞を図ることを意図する。そして、新設・既設を問わず、全ての窓に、簡易かつ確実に取付け可能とすること、また部品点数を少なくし製造の容易化を図ること、また場合により、洋風の家の窓（出窓等）に取付け可能な構造を提供すること等を意図する。
【００１６】
「２」  窓の自動施錠・開錠と、窓の自動開閉、及びこの自動を雨水センサー等のセンサーによる制御で、例えば、外出中、就寝中、子供が留守番する状態、又は幼児が在宅する状態等において、開放された窓を、自動で閉塞・開放及び／又は施錠・開錠し、急な天候の変化及び／又は防犯等に、瞬時かつ確実に対応可能とすること、また犯罪防止の抑止力として活用すること、さらには安心して外出可能とすること等を意図する。
【００１７】
「３」  障害者、子供等に優しい、窓の自動施錠・開錠と、窓の開放・閉塞手段を提供することを意図する。
【００１８】
「４」  この施錠・開錠機構に装備された振動センサーで、窓が非常時において、開放する必要性が発生した状況、また施錠・開錠機構が破壊された状況を検出した際に、この振動センサーが作動し、警報を発するようにし、犯罪防止・抑制を図りつつ、安全、治安の確保を図ること等を意図する。
【００１９】
「５」  窓の施錠・開錠機構を、最初に、鍵の操作を基にして機能する構造とすることで、犯罪の防止と、また安全、治安の確保を図ること、誤動作を回避すること、また窓の施錠・開錠の自動化の一歩とすること等を意図する。
【００２０】
「６」  窓の構造及び／又は駆動機構等との間に、公差又は故障等のトラブルが発生しても、設置が可能で、かつ確実に機能する自動開閉機構を提供することを意図する。
【課題を解決するための手段】
【００２１】
請求項１の発明は、前述の「１」〜「６」の目的を達成することを意図する。
【００２２】
請求項１は、窓外枠間に立設し、かつ一方の窓内枠に添接された枠体と、この枠体内及び／又は一方の窓内枠に設けた昇降式の窓の施錠・開錠を司る施錠、開錠機構と、この施錠、開錠機構の爪が係止される他方の窓内枠に設けたロック部材と、該枠体に設けたモータ及び駆動体、並びに前記他方の窓内枠に設けた係止部でなる窓の開閉を司る自動開閉機構と、で構成した窓の施錠・開錠と、その開閉を行う窓の自動開閉装置であって、
前記爪の昇降を司る昇降機構と、前記モータの回転を司る駆動機構とを設け、
前記昇降機構と前記駆動機構とを制御するリモコン及び／又はセンサー等の駆動部で構成した窓の施錠・開錠と、その開閉を行う窓の自動開閉装置である。
【００２３】
請求項２の発明は、請求項１の目的を達成すること、この目的を達成するのに最適な窓の施錠・開錠機構を提供すること等を意図する。
【００２４】
請求項２は、請求項１に記載の窓の施錠・開錠と、その開閉を行う窓の自動開閉装置であって、
前記昇降式の窓の施錠・開錠を司る施錠、開錠機構は、枠体内及び／又は一方の窓内枠に設けたケースに前進後退可能に設けたシリンダーと、このシリンダーを抱持するこのケースに設けたシリンダーケースと、前記シリンダーの昇降を司る昇降制御部と、前記シリンダーに設けた爪とで構成した窓の施錠・開錠と、その開閉を行う窓の自動開閉装置である。
【００２５】
請求項３の発明は、請求項１の目的を達成すること、この目的を達成するのに最適な窓の施錠・開錠機構を提供すること等を意図する。またこの請求項３の発明は、窓の施錠・開錠を介して、窓を手動で開閉可能とすること、窓開閉機構（窓の施錠・開錠機構）の故障時又は停電等で動力がない時等に、手動で施錠・開錠をし、緊急時において、窓を開閉可能とすること等を意図する。
【００２６】
請求項３は、請求項１に記載の窓の施錠・開錠と、その開閉を行う窓の自動開閉装置であって、
この窓の施錠・開錠を司る施錠、開錠機構は、ケース本体に設けたシリンダーケースと、このシリンダーケースの正面に開設した鍵挿入口と、この鍵挿入口に出没するシリンダー係止端部を備えた係止杆と、この係止杆の復帰を司る前記シリンダーケースに内設したスプリングと、また前記シリンダー係止端部が摺動する前記シリンダーケースの側面に開設した長孔と、前記シリンダーケースに収容され、かつこのシリンダーケースの上下面の方向に昇降するシリンダーと、このシリンダーに設けた爪と、前記シリンダーケースの側面に設けた前記シリンダー係止端部が係止される係止端部と、前記鍵挿入口に設けた鍵をロックするロック孔と、前記シリンダーの昇降を司る昇降制御部とで構成し、
この鍵挿入口に挿入された鍵の差込みを介して、前記係止杆の突起と係止端部との係合を解除し、シリンダーの昇降を図るとともに、この鍵の差込みと、かつ該鍵の回転を介して、前記解除の状態を確保する構成とした窓の施錠・開錠と、その開閉を行う窓の自動開閉装置である。
【００２７】
請求項４の発明は、請求項１、請求項２又は請求項３の目的を達成すること、この目的を達成するのに最適な窓の施錠・開錠機構を提供すること等を意図する。またこの請求項４の発明は、窓の施錠・開錠を、最も簡単で、かつ確実な装置を介して実行すること等を意図する。
【００２８】
請求項４は、請求項１、請求項２又は請求項３に記載の窓の施錠・開錠と、その開閉を行う窓の自動開閉装置であって、
その昇降制御部を、ソレノイドとした窓の施錠・開錠と、その開閉を行う窓の自動開閉装置である。
【００２９】
請求項５の発明は、請求項１の目的を達成すること、この目的を達成するのに最適な窓の犯罪防止・抑制装置、安全装置を提供すること等を意図する。
【００３０】
請求項５は、請求項１に記載の窓の施錠・開錠と、その開閉を行う窓の自動開閉装置であって、
この自動開閉装置に振動センサーを付設し、この振動センサーが起動した際に警報を発する警報機を窓又は建屋に設ける構成とした窓の施錠・開錠と、その開閉を行う窓の自動開閉装置である。
【００３１】
請求項６の発明は、請求項１の目的を達成すること、この目的を達成するのに最適な窓の開閉機構を提供すること等を意図する。またこの請求項６の発明は、窓の開閉機構を、最も簡単で、かつ確実な装置を介して実行すること等を意図する。
【００３２】
請求項６は、請求項１に記載の窓の施錠・開錠と、その開閉を行う窓の自動開閉装置であって、
この窓の開閉機構は、窓外枠に係止した上面に歯部を備えた第１のベースと、この第１のベースの歯部に噛合する歯部を備えた第２のベースと、この第２のべースに移動可能に設けたスライドベースと、このスライドベースの前進後退を司る前記第２のベースの正面に設けた調節螺子と、このスライドベースに設けたモータ等の駆動機構と、この駆動機構の出力軸を前記スライドベースに貫設し、この貫設した出力軸に駆動体を設け、この駆動体の一面を前記スライドベースより突設するとともに、この突設した一面を一方の窓内枠の防滑部材に添接する構成とした窓の施錠・開錠と、その開閉を行う窓の自動開閉装置である。
【００３３】
請求項７の発明は、請求項６の目的を達成すること、この目的を達成するのに最適な窓の開閉機構を提供すること等を意図する。またこの請求項７の発明は、窓の開閉機構及び／又は窓の公差による弊害解消と、商品及び／又は取付けの汎用化を図ること等を意図する。
【００３４】
請求項７は、請求項６に記載の窓の施錠・開錠と、その開閉を行う窓の自動開閉装置であって、
前記駆動機構は、請求項１に記載の枠体内にスペースを介して設ける構成とした窓の施錠・開錠と、その開閉を行う窓の自動開閉装置である。
【発明の効果】
【００３５】
請求項１の発明は、窓外枠間に立設し、かつ一方の窓内枠に添接された枠体と、枠体内及び／又は一方の窓内枠に設けた昇降式の窓の施錠・開錠を司る施錠、開錠機構と、施錠、開錠機構の爪が係止される他方の窓内枠に設けたロック部材と、枠体に設けたモータ及び駆動体、並びに他方の窓内枠に設けた係止部でなる窓の開閉を司る自動開閉機構と、で構成した窓の施錠・開錠と、その開閉を行う窓の自動開閉装置であって、
爪の昇降を司る昇降機構と、モータの回転を司る駆動機構とを設け、
昇降機構と駆動機構とを制御するリモコン及び／又はセンサー等の駆動部で構成した窓の施錠・開錠と、その開閉を行う窓の自動開閉装置である。
【００３６】
従って、請求項１は、下記の特徴を有する。
【００３７】
「１」  窓の自動施錠（ロック）・開錠（ロック開放）を司る施錠、開錠機構と、雨センサー等のセンサーが検知したときに、窓の開閉を司る窓の自動開閉機構とでなる自動開閉装置を提供し、総合的な自動施錠及び／又は開錠と、同時に窓の自動開放及び／又は閉塞が図れる。そして、新設・既設を問わず、全ての窓に、簡易かつ確実に取付け可能とすること、また部品点数を少なくし製造の容易化を図ること、また場合により、洋風の家の窓（出窓等）に取付け可能な構造を提供できる。
【００３８】
「２」  窓の自動施錠・開錠と、窓の自動開閉、及びこの自動を雨水センサー等のセンサーによる制御で、例えば、外出中、就寝中、子供が留守番する状態、又は幼児が在宅する状態等において、開放された窓を、自動で閉塞・開放及び／又は施錠・開錠し、急な天候の変化及び／又は防犯等に、瞬時かつ確実に対応可能となる。また犯罪防止の抑止力として活用できる。さらには安心して外出が可能となる。
【００３９】
「３」  障害者、子供等に優しい、窓の自動施錠・開錠と、窓の開放・閉塞手段を提供できる。
【００４０】
「４」  この施錠・開錠機構に装備された振動センサーで、窓が非常時において、開放する必要性が発生した状況、また施錠・開錠機構が破壊された状況を検出した際に、この振動センサーが作動し、警報を発するようにし、犯罪防止・抑制を図りつつ、安全、治安の確保が図れる。
【００４１】
「５」  窓の施錠・開錠機構を、最初に、鍵の操作を基にして機能する構造とすることで、犯罪の防止と、また安全、治安の確保が図れる。また誤動作を回避できる。さらに窓の施錠・開錠の自動化の一歩となる。
【００４２】
「６」  窓の構造及び／又は駆動機構等との間に、公差又は故障等のトラブルが発生しても、設置が可能で、かつ確実に機能する自動開閉機構を提供できる。
【００４３】
請求項２の発明は、請求項１に記載の窓の施錠・開錠と、その開閉を行う窓の自動開閉装置であって、
昇降式の窓の施錠・開錠を司る施錠、開錠機構は、枠体内及び／又は一方の窓内枠に設けたケースに前進後退可能に設けたシリンダーと、シリンダーを抱持するこのケースに設けたシリンダーケースと、シリンダーの昇降を司る昇降制御部と、シリンダーに設けた爪とで構成した窓の施錠・開錠と、その開閉を行う窓の自動開閉装置である。
【００４４】
従って、請求項２は、請求項１の目的を達成できる。またこの目的を達成するのに最適な窓の施錠・開錠機構を提供できる。
【００４５】
請求項３の発明は、請求項１に記載の窓の施錠・開錠と、その開閉を行う窓の自動開閉装置であって、
窓の施錠・開錠を司る施錠、開錠機構は、ケース本体に設けたシリンダーケースと、シリンダーケースの正面に開設した鍵挿入口と、鍵挿入口に出没するシリンダー係止端部を備えた係止杆と、係止杆の復帰を司るシリンダーケースに内設したスプリングと、またシリンダー係止端部が摺動するシリンダーケースの側面に開設した長孔と、シリンダーケースに収容され、かつシリンダーケースの上下面の方向に昇降するシリンダーと、シリンダーに設けた爪と、シリンダーケースの側面に設けたシリンダー係止端部が係止される係止端部と、鍵挿入口に設けた鍵をロックするロック孔と、シリンダーの昇降を司る昇降制御部とで構成し、
鍵挿入口に挿入された鍵の差込みを介して、係止杆の突起と係止端部との係合を解除し、シリンダーの昇降を図るとともに、鍵の差込みと、かつ鍵の回転を介して、解除の状態を確保する構成とした窓の施錠・開錠と、その開閉を行う窓の自動開閉装置である。
【００４６】
従って、請求項３は、請求項１の目的を達成できる。またこの目的を達成するのに最適な窓の施錠・開錠機構を提供できる。またこの請求項３は、窓の施錠・開錠を介して、窓を手動で開閉可能とすること、窓開閉機構（窓の施錠・開錠機構）の故障時又は停電等で動力がない時等に、手動で施錠・開錠をし、緊急時において、窓が開閉可能となる。
【００４７】
請求項４の発明は、請求項１、請求項２又は請求項３に記載の窓の施錠・開錠と、その開閉を行う窓の自動開閉装置であって、
昇降制御部を、ソレノイドとした窓の施錠・開錠と、その開閉を行う窓の自動開閉装置である。
【００４８】
従って、請求項４は、請求項１、請求項２又は請求項３の目的を達成すること、この目的を達成するのに最適な窓の施錠・開錠機構を提供すること等を意図する。またこの請求項４の発明は、窓の施錠・開錠を、最も簡単で、かつ確実な装置を介して実行すること等を意図する。
【００４９】
請求項５の発明は、請求項１に記載の窓の施錠・開錠と、その開閉を行う窓の自動開閉装置であって、
自動開閉装置に振動センサーを付設し、振動センサーが起動した際に警報を発する警報機を窓又は建屋に設ける構成とした窓の施錠・開錠と、その開閉を行う窓の自動開閉装置である。
【００５０】
従って、請求項５は、請求項１の目的を達成できる。またこの目的を達成するのに最適な窓の犯罪防止・抑制装置、安全装置を提供できる。
【００５１】
請求項６の発明は、請求項１に記載の窓の施錠・開錠と、その開閉を行う窓の自動開閉装置であって、
窓の開閉機構は、窓外枠に係止した上面に歯部を備えた第１のベースと、第１のベースの歯部に噛合する歯部を有する第２のベースと、第２のべースに移動可能に設けたスライドベースと、スライドベースの前進後退を司る前記第２のベースの正面に設けた調節螺子と、スライドベースに設けたモータ等の駆動機構と、駆動機構の出力軸をスライドベースに貫設し、貫設した出力軸に駆動体を設け、駆動体の一面をスライドベースより突設するとともに、突設した一面を一方の窓内枠の防滑部材に添接する構成とした窓の施錠・開錠と、その開閉を行う窓の自動開閉装置である。
【００５２】
従って、請求項６は、請求項１の目的を達成できる。またこの目的を達成するのに最適な窓の開閉機構を提供できる。そして、この請求項６は、窓の開閉機構を、最も簡単で、かつ確実な装置を介して実行できる。
【００５３】
請求項７の発明は、請求項６に記載の窓の施錠・開錠と、その開閉を行う窓の自動開閉装置であって、
駆動機構は、請求項１に記載の枠体内にスペースを介して設ける構成とした窓の施錠・開錠と、その開閉を行う窓の自動開閉装置である。
【００５４】
従って、請求項７は、請求項６の目的を達成できる。またこの目的を達成するのに最適な窓の開閉機構を提供できる。そして、この請求項７は、窓の開閉機構及び／又は窓の公差による弊害解消と、商品及び／又は取付けの汎用化が図れる。
【発明を実施するための最良の形態】
【００５５】
本発明の好ましい一実施例を、図面を参照して説明する。
【００５６】
先ず、図面の説明をすると、図１は窓の施錠・開錠機構と、その開閉を行う窓の自動開閉機構等を設置した窓の一例を示した縮尺斜視図、図２は窓の施錠・開錠機構と、その開閉を行う窓の自動開閉機構等を設置した要部の正面図、図３は図２の窓の自動開閉機構と窓外枠との関係を示した断面図、図４は図３の斜視図、図５は枠体と窓の施錠・開錠機構との関係を示した分解斜視図、図６は窓の施錠・開錠機構を正面視した拡大断面図、図７は図６を背面視した拡大断面図、図８は図６を側面視した拡大断面図、図９は窓の施錠・開錠機構の要部の斜視図、図１０はリモコンの拡大正面図である。
【００５７】
以下、図面に基づいて、その機構の一例を説明する。
【００５８】
窓１は、躯体Ｈに固止される窓外枠１００と、一方の窓内枠１０１と、他方の窓内枠１０２とで構成されており、この窓外枠１００に設けた対のレール１０３、１０４に、一方の窓内枠１０１と、他方の窓内枠１０２とが摺動可能に設けられる。
【００５９】
枠体２は一対のレール１０３、１０４に差渡し設け、止めネジ３、３（以下３とする）を介して取付けられるとともに、一方の窓内枠１０１に添設するように設けられる。この枠体２は窓１の寸法に対応できるように、上端（一方）に設けられた調節部材２００の上下動と、止め螺子３の長短調節を介して固定する。そして、枠体２の下端（他方）は、後述する窓の開閉機構の第１・第２のベースと、スライドベース、並びに止め螺子３を介して固定する。尚、この枠体２は本体２ａと、蓋体２ｂで構成することが、製造、取付け、修理等の容易化に役立つ。
【００６０】
次に窓の施錠・開錠を司る窓の施錠、開錠機構Ａを説明すると、この窓の施錠、開錠機構Ａは、枠体２の本体２ａ、又は図示しないが一方の窓内枠１０１に設けたケース５に収容される構成であって、このケース５は、枠体２の本体２ａ、又は図示しないが一方の窓内枠１０１に設けたケース本体５ａと、このケース本体５ａをカバーするケース蓋体５ｂとで構成する。
【００６１】
以下、図示した一例を説明すると、このケース本体５ａに設けたシリンダーケース７と、このシリンダーケース７の正面７ａに開設した鍵挿入口８と、この鍵挿入口８に出没する突起１０ａを備えた係止杆１０と、この係止杆１０の復帰を司る前記シリンダーケース７に内設したスプリング１２と、また前記突起１０ａが摺動する前記シリンダーケース７の側面７ｂに開設した長孔１３と、前記シリンダーケース７に収容され、かつこのシリンダーケース７の上下面の方向に昇降するシリンダー１４と、このシリンダー１４に設けた爪１５と、前記シリンダーケース７の側面７ｂに設けた前記突起１０ａが係止される係止端部１４ａと、前記鍵挿入口８に設けた鍵１６をロックするロック孔８ａと、前記シリンダー１４の昇降を司る昇降制御部とで構成する。
【００６２】
従って、鍵１６を、鍵挿入口８に差込む（屋外側に挿入、押込み等の操作をする）ことで、この鍵１６の先端部１６ａで係止杆１０を押圧する。この係止杆１０が押圧される状態で、その突起１０ａが長孔１３内を、一例として、図８において向かって左方向に移動し（屋外側）、スプリング１２を押圧する。そして、鍵１６を回転することで、この鍵１６の固止部１６ｂ（対の突起）が、鍵挿入口８のロック孔８ａに係入された状態で、シリンダー１４と鍵１６が連繋固止される。このシリンダー１４と鍵１６の固止状態において、係止杆１０の突起１０ａがシリンダー１４の係止端部１４ａ（係止端部）から離間し、シリンダー１４の上昇が可能となる。換言すると、このシリンダー１４と鍵１６の固止状態が、完成することで、シリンダー１４の上昇と、この上昇に伴って、爪１５が他方の窓内枠１０２のロック部材２０より外れる図８の実線であって、開錠と窓１の開放が可能となる。
【００６３】
尚、爪１５は、一方の窓内枠１０１より突出する。しかし、この爪１５は、この一方の窓内枠１０１と他方のガラス１０２ａとの間に形成される空間１ｃに位置するので、この他方の窓内枠１０２の開閉には問題がない。
【００６４】
また鍵１６を、鍵挿入口８より脱抜すると、この係止杆１０の基端側１０ｂが、スプリング１２の反発力で、鍵挿入口８の底部より突出し、これと同時に、この係止杆１０の突起１０ａが係止端部１４ａをロックする状態となる（爪１５が他方の窓内枠１０２のロック部材２０に係入された状態で、図８の想像線の状態である）。従って、このロックする状態が開放されない限り、シリンダー１４の上昇はありえず、また爪１５が他方の窓内枠１０２のロック部材２０より外れない。このように、鍵１６を鍵挿入口８に挿入し、前述のように、可動しない限り、この窓１の施錠は確保される。
【００６５】
以上のように、鍵１６の使用で、窓の施錠・開錠が図れる構造であり、また昇降制御部（ソレノイド１８）を介してシリンダー１４が上昇する状態が確保される。また停電時、ソレノイド１８の故障時において、シリンダー１４の動きが確保される。図中１８ａはソレノイド１８とシリンダー１４とを連結する連結杆である。またこのソレノイド１８の動きは、制御盤Ｂに設けたセンサーと、室内電源、電池等を利用する。
【００６６】
そして、また窓の施錠、開錠機構Ａに振動センサーＣを付設し、この振動センサーＣが起動した際に警報を発する警報機Ｄを設置し、犯罪防止・抑止と、安全性の確保等を図る構造とする。
【００６７】
次に窓の開閉機構Ｅを説明すると、この窓の開閉機構Ｅは、窓外枠１００のレール１０３又は１０４に係止した上面２５ａに歯部２５００を備えた第１のベース２５と、この第１のベース２５の歯部２５００に噛合する歯部２６００を備えた第２のベース２６と、この第２のべース２６に移動可能に設けたスライドベース２８と、このスライドベース２８の前進後退を司る前記第２のベース２６の正面に設けた調節螺子２９と、このスライドベース２８に設けたモータ３０（駆動機構）と、このモータ３０の出力軸３０ａには前記スライドベース２８を設ける。またこの貫設した出力軸３０ａに駆動体３１を設ける。そして、この駆動体３１の一面を前記スライドベース２８より突設するとともに、この突設した一面を一方の窓内枠１０１の防滑部材４に添接する構成である。そして、この駆動体３１の周辺には、防滑部３１００を繞設する。またスライドベース２８は、一面開放の箱型を呈しており、この開放側の対峙する壁面に前記調節螺子２９を設け、この調整螺子２９は、枠体２の蓋体２ｂを貫通して螺着されている。従って、この調節螺子２９を螺入螺戻することで、駆動体３１が前進後退（矢印「イ」）する構造である。この駆動体３１の前進後退で、防滑部材４との接触の強弱と、公差による接触の確保を図る。
【００６８】
またこの第１のベース２５と第２のベース２６との関係を説明すると、この第１のベース２５の歯部２５００と、第２のベース２６の歯部２６００とは、噛合関係を有している。従って、第２のベース２６を（前記前進後退に）移動し、この移動時に、この第２のベース２６の歯部２６００と、第１のベース２５の歯部２５００とを噛合することで、この移動位置で固止される。そして、この歯部２５００、２６００とは、移動側（前進）に向かって、容易な移動を図るために、傾斜状態の歯形となっている（図３参照）。この移動によって、例えば、この駆動体３１の前進後退及び／又は防滑部材４との接触の強弱と、窓１又は窓の開閉機構Ｅの公差の解消とを図ること、またこの駆動体３１と、防滑部材４との接触の確実性を達成すること等が可能となる。尚、防滑部材４を設けることが望ましいが、必要により省略する。例えば、小窓とか、軽量な構造の窓１等の場合と、コストの低廉、構造の簡略化等を意図する場合に有効である。
【００６９】
またこの窓の開閉機構Ｅは、モータ３０の回転で、駆動体３１が回転し、この回転を介して他方の窓１ａが開閉する。
【００７０】
次に、制御部Ｂは、窓外枠１００に設けられており、窓の施錠、開錠機構Ａ、窓の開閉機構Ｅの起動、停止等のコントロールボタン、温湿度調節ボタン、スピードコントロールボタン、電源ボタン等をそなえている。また図中４０は風速センサー、４１は水分センサーを示している。尚、制御部Ｂは携帯形式も可能である。
【００７１】
前述の防滑部材４を、ゴム製、又は樹脂製等の防滑材料で構成し、かつ駆動体３１を、同質の防滑部３１００で囲繞することで、結露時の駆動の確保と、スリップ防止等に有効である。
【００７２】
本発明の窓の施錠・開錠機構と、窓の自動開閉機構等は、繰返しの使用（試験装置）においても、各部材の故障もなく、確実かつ軽快に作動（窓の施錠・開錠等）することが、実証できた。従って、実用化に即し、かつ耐久性と、経済性、有効性等を備えた構造である。
【図面の簡単な説明】
【００７３】
【図１】図１は窓の施錠・開錠機構と、その開閉を行う窓の自動開閉機構等を設置した窓の一例を示した縮尺斜視図
【図２】図２は窓の施錠・開錠機構と、その開閉を行う窓の自動開閉機構等を設置した要部の正面図
【図３】図３は図２の窓の自動開閉機構と窓外枠との関係を示した断面図
【図４】図４は図３の斜視図
【図５】図５は枠体と窓の施錠・開錠機構との関係を示した分解斜視図
【図６】図６は窓の施錠・開錠機構を正面視した拡大断面図
【図７】図７は図６を背面視した拡大断面図
【図８】図８は図６を側面視した拡大断面図
【図９】図９は窓の施錠・開錠機構の要部の斜視図
【図１０】図１０はリモコンの拡大正面図
【符号の説明】
【００７４】
１                窓
１ａ              他方の窓
１ｃ              空間
１００            窓外枠
１０１            一方の窓内枠
１０２            他方の窓内枠
１０２ａ          他方のガラス
１０３            レール
１０４            レール
２                枠体
２ａ              本体
２ｂ              蓋体
２００            調節部材
３                止め螺子
４                防滑部材
５                ケース
５ａ              ケース本体
５ｂ              ケース蓋体
７                シリンダーケース
７ａ              正面
７ｂ              側面
８                鍵挿入口
８ａ              ロック孔
１０              係止杆
１０ａ            突起
１０ｂ            基端側
１２              スプリング
１３              長孔
１４              シリンダー
１４ａ            係止端部
１５              爪
１６              鍵
１６ａ            先端部
１６ｂ            固止部
１８              ソレノイド
１８ａ            連結杆
２０              ロック部材
２５              第１のベース
２５ａ            上面
２５００          歯部
２６              第２のベース
２６００          歯部
２８              スライドベース
２９              調節螺子
３０              モータ
３０ａ            出力軸
３１              駆動体
３１００          防滑部
４０              風速センサー
４１              水分センサー
Ａ                窓の施錠、開錠機構
Ｂ                制御部
Ｃ                振動センサー
Ｄ                警報機
Ｅ                窓の開閉機構
Ｈ                躯体
【図１】
2008088766.tif 000003
【図２】
2008088766.tif 000004
【図３】
2008088766.tif 000005
【図４】
2008088766.tif 000006
【図５】
2008088766.tif 000007
【図６】
2008088766.tif 000008
【図７】
2008088766.tif 000009
【図８】
2008088766.tif 000010
【図９】
2008088766.tif 000011
【図１０】
2008088766.tif 000012
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
窓外枠間に立設し、かつ一方の窓内枠に添接された枠体と、この枠体内及び／又は一方の窓内枠に設けた昇降式の窓の施錠・開錠を司る施錠、開錠機構と、この施錠、開錠機構の爪が係止される他方の窓内枠に設けたロック部材と、該枠体に設けたモータ及び駆動体、並びに前記他方の窓内枠に設けた係止部でなる窓の開閉を司る自動開閉機構と、で構成した窓の施錠・開錠と、その開閉を行う窓の自動開閉装置であって、
前記施錠、開錠機構は、枠体内及び／又は一方の窓内枠に設けたケースに前後後退可能に設けたシリンダーと、このシリンダーを抱持するこのケースに設けたシリンダーケースと、前記シリンダーケースと、前記シリンダーの昇降を司る昇降制御部と、前記シリンダーに設けた爪とで構成し、
また前記自動開閉機構は、窓外枠に係止した上面に歯部を備えた第１のベースと、この第１のベースの歯部に噛合する歯部を備えた第２のベースと、この第２のべースに移動可能に設けたスライドベースと、このスライドベースの前進後退を司る前記第２のベースの正面に設けた調節螺子と、このスライドベースに設けたモータ等の駆動機構と、この駆動機構の出力軸を前記スライドベースに貫設し、この貫設した出力軸に駆動体を設け、この駆動体の一面を前記スライドベースより突設するとともに、この突設した一面を一方の窓内枠の防滑部材に添接する構成とし、
前記昇降機構と前記駆動機構とを制御するリモコン及び／又はセンサー等の駆動部を設ける構成した窓の施錠・開錠と、その開閉を行う窓の自動開閉装置。
【請求項２】
請求項１に記載の窓の施錠・開錠と、その開閉を行う窓の自動開閉装置であって、
この自動開閉装置に振動センサーを付設し、この振動センサーが起動した際に警報を発する警報機を窓又は建屋に設ける構成とした窓の施錠・開錠と、その開閉を行う窓の自動開閉装置。
【請求項３】
請求項１に記載の窓の施錠・開錠と、その開閉を行う窓の自動開閉装置であって、
前記駆動機構は、請求項１に記載の枠体内にスペースを介して設ける構成とした窓の施錠・開錠と、その開閉を行う窓の自動開閉装置。
【手続補正２】
【補正対象書類名】明細書
【補正対象項目名】全文
【補正方法】変更
【補正の内容】
【発明の詳細な説明】
【技術分野】
【０００１】
本発明は、窓の施錠・開錠と、その開閉を行う窓の自動開閉装置に関する。
【背景技術】
【０００２】
従来、家屋（建屋）に設けられた窓において、一般の家屋における和風の窓は、窓外枠（躯体）と略面一に設けられている。そして、このような略面一の構造は、洋風の出窓・天窓等のように特殊な構造においても、略同様である。
【０００３】
そして、この窓の開閉は、室内の換気、温度・湿度等の調節、又は風雨・煙・臭気等の遮断と、排出等のために日常的に行われている。また一面で、この窓の開閉に基づくトラブルは多く、例えば、防犯の面より施錠及び／又は閉塞が必須である。
【０００４】
また日常的なこととして、例えば、窓を開放したままの状態及び／又は閉塞を失念して外出・就寝等することがある。この場合、例えば、天候の急変、また就寝等で閉塞が必要な場合における処置が図れず、また健康・体の調子等の面から開放及び／又は閉塞の必要時に処置が図れず問題があった。
【０００５】
殊に、窓の開閉を自動的に行うことが、必要である状況がある。その一例を説明すると、障害者等の健常者以外の人では、この種の窓の施錠及び／又は開閉と、ロック等の所作は、本人では行えず、誰かの介護と手助けが必要であり、この場合には、自動の開閉装置が要望される。
【０００６】
以上のような数々の要望から、一定の条件のもとで、窓を自動的に開閉し、また窓を自動的に施錠及び／又は開錠する装置が必要であり、同様なことを意図して、これまでにも、多数の発明と考案が出願されている。
【０００７】
文献（１）は、特開平８−１５８７３７「電動サッシ」であり、サッシ縦框に駆動ホイルを設けるとともに、この駆動ホイルを駆動するモータを配備し、このモータの可動で駆動ホイルを駆動する。この駆動ホイルの駆動を介してサッシ（窓）を開閉する窓の開閉機構と、窓の施錠・開錠を、サッシ縦框にロック系駆動手段と、鍵及び鍵受けとを設け、このロック系駆動手段の駆動による鍵の可動を介して、窓をロック又はロック解除するロック機構とで構成し、このモータ及び／又はロック系駆動手段の駆動を遠隔操作（リモコン操作）で自動制御し、窓の開閉と、窓のロック・ロック解除とを図る構成である。
【０００８】
文献（２）は、特開２０００−３１００６８「窓ロック自動開放装置」であり、窓ロック部を自動で解錠する自動解錠機構と、窓を自動で開放する自動開放機構と、窓ロック部の自動解錠後に窓を自動開放させる制御回路とを備えたことを特徴とする構成である。
【０００９】
また文献（３）は、特開２００４−１３７８５１「引き違い戸用ロック装置」であり、引き違い戸の閉塞部近傍に設けたロック装置本体及びロック部材と、ロック装置本体に設けたロック部材側へ出没し、ロック部材との間で施錠及び解錠するロック杆と、このロック杆を動作するモータ等の制御手段と、引き違い戸の異常振動を検知し、異常信号を発生する振動検知手段で構成し、この異常信号により警報を発し、ガラスを破って侵入する窃盗犯の発生を抑制可能としたことを特徴とする構成である。
【００１０】
【特許文献１】特開平８−１５８７３７
【特許文献２】特開２０００−３１００６８
【特許文献３】特開２００４−１３７８５１
【発明の開示】
【発明が解決しようとする課題】
【００１１】
文献（１）は、遠隔操作により窓を自動的に開閉できる。しかし、サッシ縦框に、窓の開閉機構及び／又はロック・ロック解除機構を設ける構成であるので、既設のサッシには、装着が困難であること、また駆動ホイルと、サッシ横框との接触不足と、接触面積の不足が考えられ、その駆動機構に不安な要素がある。殊に、駆動ホイルとサッシ横框との接触調節が期待できず、公差による取付けの不具合の解消と、サッシの動きに対応した充分な接触を図るには、充分ではないと思われる。
【００１２】
文献（２）は、遠隔操作により窓を自動的に開閉できる。しかし、窓枠の上辺に、窓の開閉機構と、その窓枠の縦辺にロック・ロック解除機構を設ける構成であるので、既設の窓枠には、装着が困難であること、またギヤ機構と窓枠との接触不足と、接触面積の不足が考えられ、その駆動機構に不安な要素がある。殊に、駆動ホイルとサッシ横框との接触調節が期待できず、公差による取付けの不具合の解消と、サッシの動きに対応した充分な接触を図るには、充分ではないと思われる。
【００１３】
文献（３）は、ロック杆をモータの制御手段で操作する構成である。従って、構造が複雑となること、コストの上昇を招来すること等の問題がある。またこの発明は、引き違い戸の開閉機構に留まっている。従って、雨センサー、風センサー、臭気センサー、花粉センサー等のセンサーがなく天候の変化に対応できないこと、鍵の開閉機構を備えず防犯に対する配慮に欠けること等の課題がある。また縦横框と、ロック装置本体、ロック部材等による公差による取付けの不具合の解消と、引違い戸の動きに対応した充分な接触を図るには、充分ではないと思われる。
【００１４】
上記に鑑み、本発明は、次のような「１」〜「３」の目的を達成するために、窓の施錠・開錠と、その開閉を行う窓の自動開閉装置を提案する。
【００１５】
「１」  窓の自動施錠（ロック）・開錠（ロック開放）を司る施錠、開錠機構と、雨センサー等のセンサーが検知したときに、窓の開閉を司る窓の自動開閉機構とでなる自動開閉装置を提供し、総合的な自動施錠及び／又は開錠と、同時に窓の自動開放及び／又は閉塞を図ることを意図する。そして、新設・既設を問わず、全ての窓に、簡易かつ確実に取付け可能とすること、また部品点数を少なくし製造の容易化を図ること、また場合により、洋風の家の窓（出窓等）に取付け可能な構造を提供すること等を意図する。
【００１６】
「２」  窓の自動施錠・開錠と、窓の自動開閉、及びこの自動を雨水センサー等のセンサーによる制御で、例えば、外出中、就寝中、子供が留守番する状態、又は幼児が在宅する状態等において、開放された窓を、自動で閉塞・開放及び／又は施錠・開錠し、急な天候の変化及び／又は防犯等に、瞬時かつ確実に対応可能とすること、また犯罪防止の抑止力として活用すること、さらには安心して外出可能とすること等を意図する。
【００１７】
「３」  障害者、子供等に優しい、窓の自動施錠・開錠と、窓の開放・閉塞手段を提供することを意図する。
【００１８】
「４」  この施錠・開錠機構に装備された振動センサーで、窓が非常時において、開放する必要性が発生した状況、また施錠・開錠機構が破壊された状況を検出した際に、この振動センサーが作動し、警報を発するようにし、犯罪防止・抑制を図りつつ、安全、治安の確保を図ること等を意図する。
【００１９】
「５」  窓の施錠・開錠機構を、最初に、鍵の操作を基にして機能する構造とすることで、犯罪の防止と、また安全、治安の確保を図ること、誤動作を回避すること、また窓の施錠・開錠の自動化の一歩とすること等を意図する。
【００２０】
「６」  窓の構造及び／又は駆動機構等との間に、公差又は故障等のトラブルが発生しても、設置が可能で、かつ確実に機能する自動開閉機構を提供することを意図する。
【課題を解決するための手段】
【００２１】
請求項１の発明は、前述の「１」〜「６」の目的を達成することを意図する。またこの請求項１の発明は、「７」窓の施錠・開錠を介して、窓を手動で開閉可能とすること、窓開閉機構（窓の施錠・開錠機構）の故障時又は停電等で動力がない時等に、手動で施錠・開錠をし、緊急時において、窓を開閉可能とすること等を意図する。
【００２２】
請求項１は、窓外枠間に立設し、かつ一方の窓内枠に添接された枠体と、この枠体内及び／又は一方の窓内枠に設けた昇降式の窓の施錠・開錠を司る施錠、開錠機構と、この施錠、開錠機構の爪が係止される他方の窓内枠に設けたロック部材と、該枠体に設けたモータ及び駆動体、並びに前記他方の窓内枠に設けた係止部でなる窓の開閉を司る自動開閉機構と、で構成した窓の施錠・開錠と、その開閉を行う窓の自動開閉装置であって、
前記施錠、開錠機構は、枠体内及び／又は一方の窓内枠に設けたケースに前後後退可能に設けたシリンダーと、このシリンダーを抱持するこのケースに設けたシリンダーケースと、前記シリンダーケースと、前記シリンダーの昇降を司る昇降制御部と、前記シリンダーに設けた爪とで構成し、
また前記自動開閉機構は、窓外枠に係止した上面に歯部を備えた第１のベースと、この第１のベースの歯部に噛合する歯部を備えた第２のベースと、この第２のべースに移動可能に設けたスライドベースと、このスライドベースの前進後退を司る前記第２のベースの正面に設けた調節螺子と、このスライドベースに設けたモータ等の駆動機構と、この駆動機構の出力軸を前記スライドベースに貫設し、この貫設した出力軸に駆動体を設け、この駆動体の一面を前記スライドベースより突設するとともに、この突設した一面を一方の窓内枠の防滑部材に添接する構成とし、
前記昇降機構と前記駆動機構とを制御するリモコン及び／又はセンサー等の駆動部を設ける構成した窓の施錠・開錠と、その開閉を行う窓の自動開閉装置である。
【００２３】
【００２４】
【００２５】
【００２６】
【００２７】
【００２８】
【００２９】
請求項２の発明は、請求項１の目的を達成すること、この目的を達成するのに最適な窓の犯罪防止・抑制装置、安全装置を提供すること等を意図する。
【００３０】
請求項２は、請求項１に記載の窓の施錠・開錠と、その開閉を行う窓の自動開閉装置であって、
この自動開閉装置に振動センサーを付設し、この振動センサーが起動した際に警報を発する警報機を窓又は建屋に設ける構成とした窓の施錠・開錠と、その開閉を行う窓の自動開閉装置である。
【００３１】
【００３２】
【００３３】
請求項３の発明は、請求項１の目的を達成すること、この目的を達成するのに最適な窓の開閉機構を提供すること等を意図する。またこの請求項７の発明は、窓の開閉機構及び／又は窓の公差による弊害解消と、商品及び／又は取付けの汎用化を図ること等を意図する。
【００３４】
請求項３は、請求項１に記載の窓の施錠・開錠と、その開閉を行う窓の自動開閉装置であって、
前記駆動機構は、請求項１に記載の枠体内にスペースを介して設ける構成とした窓の施錠・開錠と、その開閉を行う窓の自動開閉装置である。
【発明の効果】
【００３５】
請求項１の発明は、窓外枠間に立設し、かつ一方の窓内枠に添接された枠体と、枠体内及び／又は一方の窓内枠に設けた昇降式の窓の施錠・開錠を司る施錠、開錠機構と、施錠、開錠機構の爪が係止される他方の窓内枠に設けたロック部材と、枠体に設けたモータ及び駆動体、並びに他方の窓内枠に設けた係止部でなる窓の開閉を司る自動開閉機構と、で構成した窓の施錠・開錠と、その開閉を行う窓の自動開閉装置であって、
施錠、開錠機構は、枠体内及び／又は一方の窓内枠に設けたケースに前後後退可能に設けたシリンダーと、シリンダーを抱持するこのケースに設けたシリンダーケースと、前記シリンダーケースと、シリンダーの昇降を司る昇降制御部と、シリンダーに設けた爪とで構成し、
自動開閉機構は、窓外枠に係止した上面に歯部を備えた第１のベースと、第１のベースの歯部に噛合する歯部を備えた第２のベースと、第２のべースに移動可能に設けたスライドベースと、スライドベースの前進後退を司る第２のベースの正面に設けた調節螺子と、スライドベースに設けたモータ等の駆動機構と、駆動機構の出力軸をスライドベースに貫設し、貫設した出力軸に駆動体を設け、駆動体の一面をスライドベースより突設するとともに、突設した一面を一方の窓内枠の防滑部材に添接する構成とし、
昇降機構と前記駆動機構とを制御するリモコン及び／又はセンサー等の駆動部を設ける構成した窓の施錠・開錠と、その開閉を行う窓の自動開閉装置である。
【００３６】
従って、請求項１は、下記の特徴を有する。
【００３７】
「１」  窓の自動施錠（ロック）・開錠（ロック開放）を司る施錠、開錠機構と、雨センサー等のセンサーが検知したときに、窓の開閉を司る窓の自動開閉機構とでなる自動開閉装置を提供し、総合的な自動施錠及び／又は開錠と、同時に窓の自動開放及び／又は閉塞が図れる。そして、新設・既設を問わず、全ての窓に、簡易かつ確実に取付け可能とすること、また部品点数を少なくし製造の容易化を図ること、また場合により、洋風の家の窓（出窓等）に取付け可能な構造を提供できる。
【００３８】
「２」  窓の自動施錠・開錠と、窓の自動開閉、及びこの自動を雨水センサー等のセンサーによる制御で、例えば、外出中、就寝中、子供が留守番する状態、又は幼児が在宅する状態等において、開放された窓を、自動で閉塞・開放及び／又は施錠・開錠し、急な天候の変化及び／又は防犯等に、瞬時かつ確実に対応可能となる。また犯罪防止の抑止力として活用できる。さらには安心して外出が可能となる。
【００３９】
「３」  障害者、子供等に優しい、窓の自動施錠・開錠と、窓の開放・閉塞手段を提供できる。
【００４０】
「４」  この施錠・開錠機構に装備された振動センサーで、窓が非常時において、開放する必要性が発生した状況、また施錠・開錠機構が破壊された状況を検出した際に、この振動センサーが作動し、警報を発するようにし、犯罪防止・抑制を図りつつ、安全、治安の確保が図れる。
【００４１】
「５」  窓の施錠・開錠機構を、最初に、鍵の操作を基にして機能する構造とすることで、犯罪の防止と、また安全、治安の確保が図れる。また誤動作を回避できる。さらに窓の施錠・開錠の自動化の一歩となる。
【００４２】
「６」  窓の構造及び／又は駆動機構等との間に、公差又は故障等のトラブルが発生しても、設置が可能で、かつ確実に機能する自動開閉機構を提供できる。
【００４３】
「７」窓の施錠・開錠を介して、窓を手動で開閉可能となること、窓開閉機構（窓の施錠・開錠機構）の故障時又は停電等で動力がない時等に、手動で施錠・開錠をし、緊急時において、窓を開閉可能となること等を特徴とする。
【００４４】
【００４５】
【００４６】
【００４７】
【００４８】
【００４９】
請求項２の発明は、請求項１に記載の窓の施錠・開錠と、その開閉を行う窓の自動開閉装置であって、
自動開閉装置に振動センサーを付設し、振動センサーが起動した際に警報を発する警報機を窓又は建屋に設ける構成とした窓の施錠・開錠と、その開閉を行う窓の自動開閉装置である。
【００５０】
従って、請求項２は、請求項１の目的を達成できる。またこの目的を達成するのに最適な窓の犯罪防止・抑制装置、安全装置を提供できる。
【００５１】
【００５２】
【００５３】
請求項３の発明は、請求項１に記載の窓の施錠・開錠と、その開閉を行う窓の自動開閉装置であって、
駆動機構は、請求項１に記載の枠体内にスペースを介して設ける構成とした窓の施錠・開錠と、その開閉を行う窓の自動開閉装置である。
【００５４】
従って、請求項３は、請求項１の目的を達成できる。またこの目的を達成するのに最適な窓の開閉機構を提供できる。そして、この請求項７は、窓の開閉機構及び／又は窓の公差による弊害解消と、商品及び／又は取付けの汎用化が図れる。
【発明を実施するための最良の形態】
【００５５】
本発明の好ましい一実施例を、図面を参照して説明する。
【００５６】
先ず、図面の説明をすると、図１は窓の施錠・開錠機構と、その開閉を行う窓の自動開閉機構等を設置した窓の一例を示した縮尺斜視図、図２は窓の施錠・開錠機構と、その開閉を行う窓の自動開閉機構等を設置した要部の正面図、図３は図２の窓の自動開閉機構と窓外枠との関係を示した断面図、図４は図３の斜視図、図５は枠体と窓の施錠・開錠機構との関係を示した分解斜視図、図６は窓の施錠・開錠機構を正面視した拡大断面図、図７は図６を背面視した拡大断面図、図８は図６を側面視した拡大断面図、図９は窓の施錠・開錠機構の要部の斜視図、図１０はリモコンの拡大正面図である。
【００５７】
以下、図面に基づいて、その機構の一例を説明する。
【００５８】
窓１は、躯体Ｈに固止される窓外枠１００と、一方の窓内枠１０１と、他方の窓内枠１０２とで構成されており、この窓外枠１００に設けた対のレール１０３、１０４に、一方の窓内枠１０１と、他方の窓内枠１０２とが摺動可能に設けられる。
【００５９】
枠体２は一対のレール１０３、１０４に差渡し設け、止めネジ３、３（以下３とする）を介して取付けられるとともに、一方の窓内枠１０１に添設するように設けられる。この枠体２は窓１の寸法に対応できるように、上端（一方）に設けられた調節部材２００の上下動と、止め螺子３の長短調節を介して固定する。そして、枠体２の下端（他方）は、後述する窓の開閉機構の第１・第２のベースと、スライドベース、並びに止め螺子３を介して固定する。尚、この枠体２は本体２ａと、蓋体２ｂで構成することが、製造、取付け、修理等の容易化に役立つ。
【００６０】
次に窓の施錠・開錠を司る窓の施錠、開錠機構Ａを説明すると、この窓の施錠、開錠機構Ａは、枠体２の本体２ａ、又は図示しないが一方の窓内枠１０１に設けたケース５に収容される構成であって、このケース５は、枠体２の本体２ａ、又は図示しないが一方の窓内枠１０１に設けたケース本体５ａと、このケース本体５ａをカバーするケース蓋体５ｂとで構成する。
【００６１】
以下、図示した一例を説明すると、このケース本体５ａに設けたシリンダーケース７と、このシリンダーケース７の正面７ａに開設した鍵挿入口８と、この鍵挿入口８に出没する突起１０ａを備えた係止杆１０と、この係止杆１０の復帰を司る前記シリンダーケース７に内設したスプリング１２と、また前記突起１０ａが摺動する前記シリンダーケース７の側面７ｂに開設した長孔１３と、前記シリンダーケース７に収容され、かつこのシリンダーケース７の上下面の方向に昇降するシリンダー１４と、このシリンダー１４に設けた爪１５と、前記シリンダーケース７の側面７ｂに設けた前記突起１０ａが係止される係止端部１４ａと、前記鍵挿入口８に設けた鍵１６をロックするロック孔８ａと、前記シリンダー１４の昇降を司る昇降制御部とで構成する。
【００６２】
従って、鍵１６を、鍵挿入口８に差込む（屋外側に挿入、押込み等の操作をする）ことで、この鍵１６の先端部１６ａで係止杆１０を押圧する。この係止杆１０が押圧される状態で、その突起１０ａが長孔１３内を、一例として、図８において向かって左方向に移動し（屋外側）、スプリング１２を押圧する。そして、鍵１６を回転することで、この鍵１６の固止部１６ｂ（対の突起）が、鍵挿入口８のロック孔８ａに係入された状態で、シリンダー１４と鍵１６が連繋固止される。このシリンダー１４と鍵１６の固止状態において、係止杆１０の突起１０ａがシリンダー１４の係止端部１４ａ（係止端部）から離間し、シリンダー１４の上昇が可能となる。換言すると、このシリンダー１４と鍵１６の固止状態が、完成することで、シリンダー１４の上昇と、この上昇に伴って、爪１５が他方の窓内枠１０２のロック部材２０より外れる図８の実線であって、開錠と窓１の開放が可能となる。
【００６３】
尚、爪１５は、一方の窓内枠１０１より突出する。しかし、この爪１５は、この一方の窓内枠１０１と他方のガラス１０２ａとの間に形成される空間１ｃに位置するので、この他方の窓内枠１０２の開閉には問題がない。
【００６４】
また鍵１６を、鍵挿入口８より脱抜すると、この係止杆１０の基端側１０ｂが、スプリング１２の反発力で、鍵挿入口８の底部より突出し、これと同時に、この係止杆１０の突起１０ａが係止端部１４ａをロックする状態となる（爪１５が他方の窓内枠１０２のロック部材２０に係入された状態で、図８の想像線の状態である）。従って、このロックする状態が開放されない限り、シリンダー１４の上昇はありえず、また爪１５が他方の窓内枠１０２のロック部材２０より外れない。このように、鍵１６を鍵挿入口８に挿入し、前述のように、可動しない限り、この窓１の施錠は確保される。
【００６５】
以上のように、鍵１６の使用で、窓の施錠・開錠が図れる構造であり、また昇降制御部（ソレノイド１８）を介してシリンダー１４が上昇する状態が確保される。また停電時、ソレノイド１８の故障時において、シリンダー１４の動きが確保される。図中１８ａはソレノイド１８とシリンダー１４とを連結する連結杆である。またこのソレノイド１８の動きは、制御盤Ｂに設けたセンサーと、室内電源、電池等を利用する。
【００６６】
そして、また窓の施錠、開錠機構Ａに振動センサーＣを付設し、この振動センサーＣが起動した際に警報を発する警報機Ｄを設置し、犯罪防止・抑止と、安全性の確保等を図る構造とする。
【００６７】
次に窓の開閉機構Ｅを説明すると、この窓の開閉機構Ｅは、窓外枠１００のレール１０３又は１０４に係止した上面２５ａに歯部２５００を備えた第１のベース２５と、この第１のベース２５の歯部２５００に噛合する歯部２６００を備えた第２のベース２６と、この第２のべース２６に移動可能に設けたスライドベース２８と、このスライドベース２８の前進後退を司る前記第２のベース２６の正面に設けた調節螺子２９と、このスライドベース２８に設けたモータ３０（駆動機構）と、このモータ３０の出力軸３０ａには前記スライドベース２８を設ける。またこの貫設した出力軸３０ａに駆動体３１を設ける。そして、この駆動体３１の一面を前記スライドベース２８より突設するとともに、この突設した一面を一方の窓内枠１０１の防滑部材４に添接する構成である。そして、この駆動体３１の周辺には、防滑部３１００を繞設する。またスライドベース２８は、一面開放の箱型を呈しており、この開放側の対峙する壁面に前記調節螺子２９を設け、この調整螺子２９は、枠体２の蓋体２ｂを貫通して螺着されている。従って、この調節螺子２９を螺入螺戻することで、駆動体３１が前進後退（矢印「イ」）する構造である。この駆動体３１の前進後退で、防滑部材４との接触の強弱と、公差による接触の確保を図る。
【００６８】
またこの第１のベース２５と第２のベース２６との関係を説明すると、この第１のベース２５の歯部２５００と、第２のベース２６の歯部２６００とは、噛合関係を有している。従って、第２のベース２６を（前記前進後退に）移動し、この移動時に、この第２のベース２６の歯部２６００と、第１のベース２５の歯部２５００とを噛合することで、この移動位置で固止される。そして、この歯部２５００、２６００とは、移動側（前進）に向かって、容易な移動を図るために、傾斜状態の歯形となっている（図３参照）。この移動によって、例えば、この駆動体３１の前進後退及び／又は防滑部材４との接触の強弱と、窓１又は窓の開閉機構Ｅの公差の解消とを図ること、またこの駆動体３１と、防滑部材４との接触の確実性を達成すること等が可能となる。尚、防滑部材４を設けることが望ましいが、必要により省略する。例えば、小窓とか、軽量な構造の窓１等の場合と、コストの低廉、構造の簡略化等を意図する場合に有効である。
【００６９】
またこの窓の開閉機構Ｅは、モータ３０の回転で、駆動体３１が回転し、この回転を介して他方の窓１ａが開閉する。
【００７０】
次に、制御部Ｂは、窓外枠１００に設けられており、窓の施錠、開錠機構Ａ、窓の開閉機構Ｅの起動、停止等のコントロールボタン、温湿度調節ボタン、スピードコントロールボタン、電源ボタン等をそなえている。また図中４０は風速センサー、４１は水分センサーを示している。尚、制御部Ｂは携帯形式も可能である。
【００７１】
前述の防滑部材４を、ゴム製、又は樹脂製等の防滑材料で構成し、かつ駆動体３１を、同質の防滑部３１００で囲繞することで、結露時の駆動の確保と、スリップ防止等に有効である。
【００７２】
本発明の窓の施錠・開錠機構と、窓の自動開閉機構等は、繰返しの使用（試験装置）においても、各部材の故障もなく、確実かつ軽快に作動（窓の施錠・開錠等）することが、実証できた。従って、実用化に即し、かつ耐久性と、経済性、有効性等を備えた構造である。
【図面の簡単な説明】
【００７３】
【図１】図１は窓の施錠・開錠機構と、その開閉を行う窓の自動開閉機構等を設置した窓の一例を示した縮尺斜視図
【図２】図２は窓の施錠・開錠機構と、その開閉を行う窓の自動開閉機構等を設置した要部の正面図
【図３】図３は図２の窓の自動開閉機構と窓外枠との関係を示した断面図
【図４】図４は図３の斜視図
【図５】図５は枠体と窓の施錠・開錠機構との関係を示した分解斜視図
【図６】図６は窓の施錠・開錠機構を正面視した拡大断面図
【図７】図７は図６を背面視した拡大断面図
【図８】図８は図６を側面視した拡大断面図
【図９】図９は窓の施錠・開錠機構の要部の斜視図
【図１０】図１０はリモコンの拡大正面図
【符号の説明】
【００７４】
１                窓
１ａ              他方の窓
１ｃ              空間
１００            窓外枠
１０１            一方の窓内枠
１０２            他方の窓内枠
１０２ａ          他方のガラス
１０３            レール
１０４            レール
２                枠体
２ａ              本体
２ｂ              蓋体
２００            調節部材
３                止め螺子
４                防滑部材
５                ケース
５ａ              ケース本体
５ｂ              ケース蓋体
７                シリンダーケース
７ａ              正面
７ｂ              側面
８                鍵挿入口
８ａ              ロック孔
１０              係止杆
１０ａ            突起
１０ｂ            基端側
１２              スプリング
１３              長孔
１４              シリンダー
１４ａ            係止端部
１５              爪
１６              鍵
１６ａ            先端部
１６ｂ            固止部
１８              ソレノイド
１８ａ            連結杆
２０              ロック部材
２５              第１のベース
２５ａ            上面
２５００          歯部
２６              第２のベース
２６００          歯部
２８              スライドベース
２９              調節螺子
３０              モータ
３０ａ            出力軸
３１              駆動体
３１００          防滑部
４０              風速センサー
４１              水分センサー
Ａ                窓の施錠、開錠機構
Ｂ                制御部
Ｃ                振動センサー
Ｄ                警報機
Ｅ                窓の開閉機構
Ｈ                躯体